(57)【特許請求の範囲】
【請求項１】
盛土内に埋設され、中央部が広く両端部が狭い網目を有する盛土補強部材と、盛土の法面に設置される法面補強ユニットと、を接続するための盛土補強用接続部材であって、格子状に構成された縦材の両端を上方に折り返し、一端を前記盛土補強部材の網目が挿入される挿入部とし、他端を前記法面補強ユニットに接続される接続部とすると共に、前記盛土補強部材の網目の中央部は挿入可能、かつ網目の両端部は挿入不可能な出っ張りが前記挿入部に設けられたことを特徴とする盛土補強用接続部材。
【請求項２】
前記縦材における挿入部の出っ張りの上辺が、円弧状又は下方に向けてテーパー状になっていることを特徴とする請求項１に記載の盛土補強用接続部材。
【請求項３】
前記縦材における挿入部の上端が、接続部側と逆方向かつ下方に折り返されていることを特徴とする請求項１又は２に記載の盛土補強用接続部材。
【請求項４】
前記縦材が、盛土補強部材の網目に合致する間隔で複数設けられていることを特徴とする請求項１乃至３の何れか１項に記載の盛土補強用接続部材。
【請求項５】
前記縦材における接続部が、上段に位置する法面補強ユニットと下段に位置する法面補強ユニットとの連結部材を兼ねていることを特徴とする請求項１乃至４の何れか１項に記載の盛土補強用接続部材。
【請求項６】
前記縦材における接続部が、側面視Ｌ字状となされた法面補強ユニットの底辺部に引っ掛かるものであることを特徴とする請求項１乃至４の何れか１項に記載の盛土補強用接続部材。
【請求項７】
請求項１乃至６の何れか１項に記載の盛土補強用接続部材に盛土補強部材を接続してなる盛土補強構造であって、前記盛土補強部材の網目の中央部が前記縦材の挿入部に挿入され、前記挿入部の出っ張りによって抜け防止とされていることを特徴とする盛土補強構造。
【請求項８】
請求項１乃至６の何れか１項に記載の盛土補強用接続部材を用いた盛土補強工法であって、前記盛土補強部材の網目の中央部を前記縦材の挿入部の出っ張りに通し、続いて、盛土補強部材を引っ張り、前記縦材の挿入部の出っ張りの下部に盛土補強部材の網目の端部を配置して盛土補強部材と前記盛土補強用接続部材を一体化させることを特徴とする盛土補強工法。
【発明の詳細な説明】
【０００１】
【発明の属する技術分野】
本発明は、盛土自体の補強のために敷設され、盛土中に埋設される網目状の盛土補強部材と、盛土の形状を保つため、盛土の法面に設置される法面補強ユニットとの間に設置される接続部材に関するものであり、又、当該接続部材を用いた盛土補強構造及び盛土補強工法に関するものである。
【０００２】
【従来の技術】
従来から、盛土の崩壊を防ぐために、各種の盛土補強構造が採用されている。特に、法面補強ユニットを配置して法面の形状を維持する盛土補強構造は、盛土の安定と法面の緑化及び保護を一体化することができるので、近年、数多く採用されている。すなわち、図８に示すように、エキスパンドメタル等からなる法面補強ユニット１１と、ジオグリッドと呼ばれる盛土補強部材１２によって盛土を補強するのである。そして、法面補強ユニット１１と盛土補強部材１２との連結は、盛土補強部材１２によって法面補強ユニット１１の法面側を巻き込み、上端側に折り返して固定する巻き込み方式が採用されていた。
【０００３】
【発明が解決しようとする課題】
しかしながら、巻き込み方式であると、施工時に予め巻き戻し代を考慮して盛土補強部材１２を敷設しなければならない点、又、法面側に垂らしておいたものを引き上げて施工しなければならない点等から、多大の工数を要するものであった。しかも、盛土補強部材１２の使用量は巻き戻し分だけ無駄になり経済的損失になってしまうという問題があった。又、上段の法面補強ユニット１１と下段の法面補強ユニット１１との連結に際しても、施工性が悪かった。
【０００４】
そのため、図９に示すように、網目１２Ａを有する盛土補強部材１２と、図示しない法面補強ユニットとの接続部１３Ａ及び凸部１３Ｂを有する接続部材１３を使用することで、盛土補強部材１２の無駄を無くすことも考えられていた。すなわち、網目１２Ａに凸部１３Ｂを挿入するとともに、網目１２Ａの上面と凸部１３Ｂの下側とで形成される空間に丸棒１４を通し、盛土補強部材１２と接続部材１３とを固定することによって盛土補強部材１２の巻き込みを省くのである。しかしながら、丸棒１４を網目１２Ａの上面と凸部１３Ｂの下側に交互に通す作業は困難で、施工性は何ら改善されていない。
【０００５】
そこで本発明は、施工工数を削減でき、しかも、材料使用量を低減することのできる盛土補強用接続部材、それを用いた盛土補強構造及び盛土補強工法を提供することを目的とするものである。
【０００６】
【課題を解決するための手段】
本発明は以上の課題を解決するためになされたものであって、その要旨は、格子状に構成された縦材の両端を上方に折り返し、一端を盛土補強部材網目が挿入される挿入部とし、他端を法面補強ユニットに接続される接続部とすると共に、盛土補強部材の網目の中央部は挿入可能、かつ網目の両端部は挿入不可能な出っ張りを挿入部に設けた盛土補強用接続部材に係るものである。そして、好ましくは、縦材における挿入部の出っ張りの上辺が下方に向けて円弧状又はテーパー状になっており、縦材における挿入部の上端が、接続部側と逆方向かつ下方に折り返されているものである。又、縦材が盛土補強部材の網目に合致する間隔で複数設けられている盛土補強用接続部材に係るものである。更に、縦材における接続部が、上段に位置する法面補強ユニットと下段に位置する法面補強ユニットとの連結部材を兼ねているものであるか、又は、縦材における接続部が、側面視Ｌ字状となされた法面補強ユニットの底辺部に引っ掛かるものである。
【０００７】
又、上記した接続部材に盛土補強部材を接続してなる盛土補強構造であって、盛土補強部材の網目の中央部が縦材の挿入部に挿入され、挿入部の出っ張りによって抜け防止とされている盛土補強構造に係るものである。
【０００８】
更に、上記した盛土補強用接続部材を用いた盛土補強工法であって、盛土補強部材の網目の中央部を縦材の挿入部の出っ張りに通し、続いて、盛土補強部材を引っ張り、縦材の挿入部の出っ張りの下部に盛土補強部材の網目の端部を配置して盛土補強部材と盛土補強用接続部材を一体化させる盛土補強工法に係るものである。
【０００９】
【発明の実施の形態】
本発明において、接続部材は、盛土補強部材と法面補強ユニットとの間に設けられ、両者を相互に接続するためのものである。ここで、接続部材は、法面補強ユニットと分割された別部材であっても、法面補強ユニットと一体化されたものであってもよい。すなわち、接続部材における接続部を上方に延長して法面補強ユニットを一体的に構成させることもできる。尚、盛土補強部材とは、盛土自体の補強のために敷設され、盛土中に埋設される網目状の合成樹脂からなるものである。又、法面補強ユニットとは、盛土の形状を保つために盛土の法面に設置され、上下左右に連結されて盛土を補強するものである。
【００１０】
接続部材としては、例えば、縦棒と横棒とをそれぞれ縦材と横材として格子状に構成し、縦棒の端部を上方に折り曲げる等して一端を盛土補強部材の挿入部、他端を法面補強ユニットの接続部とすることができる。そして、挿入部には折り曲げ等によって横方向への出っ張りを設けるのである。ここで、盛土補強部材は盛土となじみ、又、上下の土砂が適度に混合して大きな摩擦抵抗を発揮できるように網目を有している。したがって、盛土補強部材の網目の間に縦棒の挿入部の出っ張りを通してやれば、網目が上方に折り返された挿入部に引っ掛かると共に出っ張りによって盛土補強部材の抜けが防止されて接続が完了するのである。
【００１１】
尚、縦材における挿入部の出っ張りは、下方に向けて円弧状又はテーパー状とすることが好ましい。盛土補強部材の網目を通しやすく、かつ、一旦通せば抜けにくいからである。又、縦材における挿入部の上端は、接続部側と逆方向かつ下方に折り返されていることが好ましい。折り返すことで、取手の役目とガイドの役目、ひっくり返り防止の役目を果たすからである。ここで、縦棒の挿入部及び接続部、挿入部の出っ張りは、縦棒の端部を折り曲げるだけでなく、別部材の溶接等によって形成してもよい。更に、格子状の接続部材は、上記した縦棒と横棒とからなる溶接金網に限られず、平板を格子状に打ち抜き、格子状の縦材を曲げ加工して製造したもの等を使用することもできる。但し、打ち抜きの場合には、挿入部となる部分に出っ張りが形成されるように打ち抜いておく。
【００１２】
次に、縦材の間隔は、盛土補強部材の網目の間隔に合わせて一対一に、或いは数個おきに対応させて複数設けることが好ましい。この場合、横棒を一本又は複数本、溶接等によって縦棒に固定したり、網目の間隔に合わせて平板を打ち抜いたりして、縦材の所定の間隔を保持する。
【００１３】
又、接続部材を法面補強ユニットと別部材とした場合、その一端の法面補強ユニットとの接続部は、上段に位置する法面補強ユニットと下段に位置する法面補強ユニットとの連結部材を兼ねるようにすることができる。すなわち、接続部を上段となる法面補強ユニットの下端の開口部及び下段となる法面補強ユニットの上端の開口部の両方に挿入可能な引っ掛けとするのである。このようにすれば、盛土補強部材と法面補強ユニットとの接続だけでなく、同時に上下の法面補強ユニット同士を連結することができるようになる。
【００１４】
一方、接続部は、側面視Ｌ字状となされた法面補強ユニットのＬ字状底辺部に引っ掛かるものとすることもできる。このようにすれば、接続部材と法面補強ユニットとを簡単に連結でき、施工性が良くなるからである。尚、接続部材と法面補強ユニットとは、別々の部材とすることにより、運搬の容易さや法面補強ユニットに様々な金網を用いることができるという利点を有するが、両者が一体化されていてもよいことは上記した通りである。
【００１５】
又、本発明の接続部材を使用することによって、強固な盛土補強構造を構築することができる。すなわち、盛土補強部材として、中央部で広く両端部で狭い網目を有するものを使用する。更に、格子状の接続部材における縦材の挿入部の出っ張りを、盛土補強部材の中央部には挿入可能であるが、両端部には挿入不可能である長さとしておく。そして、盛土補強部材の広い網目の中央部を縦材の挿入部の出っ張りに通した後、盛土補強部材を引っ張れば、縦材の挿入部の下部が盛土補強部材の狭い網目の部分に位置することになり、接続部材と盛土補強部材とが一体化するのである。
【００１６】
【実施例】
以下、本発明の好ましい実施の形態を図面により説明する。
図１は、本発明の盛土補強用接続部材の第１実施例を示す斜視図である。すなわち、図１（Ａ）に示す接続部材１は図示しない法面補強ユニットとは別部材となっていて、平板を格子状に打ち抜き、格子状の縦材２の一端を上方に折り曲げて挿入部４としたものである。ここで、予め挿入部４となる部分に出っ張りが形成されるように打ち抜くことにより、挿入部４に横方向への円弧状の出っ張り４Ａを設けている。一方、縦材２の他端は上方に折り曲げられて、図示しない法面補強ユニットとの連結のための接続部５とされている。尚、縦材２の間隔は、横材３によって、図示しない盛土補強部材の網目に一対一に対応する寸法とされている。又、図１（Ｂ）に拡大して示すように、挿入部４の上端を接続部側と逆方向かつ下方に折り曲げれば、取手の役目とガイドの役目、ひっくり返り防止の役目を果たすようになる。
【００１７】
図２は、本発明の盛土補強用接続部材の第２実施例を示す斜視図である。第２実施例は、第１実施例と同様、平板を格子状に打ち抜いてその両端を折り曲げ、挿入部４及び接続部５を形成したものであるが、出っ張り４Ａをテーパー状としたものである。又、図１（Ｂ）の場合と同様に、挿入部４の上端を更に下方に折り曲げたものである。
【００１８】
図３は、図１に示した第１実施例の接続部材１を用いて盛土補強部材６を接続する方法を示す斜視図である。すなわち、盛土補強部材６の中央部の広い網目６Ａの部分を、接続部材１における挿入部４に通す。ここで、網目６Ａの大きさは出っ張り４Ａを含む挿入部４の幅よりも大きいので、容易に網目６Ａを通すことができる。尚、網目６Ａが出っ張り４Ａを含む挿入部４よりも小さくても、円弧状の出っ張り４Ａによって網目６Ａが変形するので、この場合であっても、比較的容易に網目６Ａを通すことができる。
【００１９】
ここで、縦材２の間隔は盛土補強部材６の網目６Ａに合致しているので、端部側の各網目６Ａは、縦材２の各挿入部４に通される。そして、盛土補強部材６を接続部材１と反対側に引っ張れば、図４に示すような接続完了状態となる。すなわち、盛土補強部材６の端部の狭い網目６Ｂの部分に接続部材１における挿入部４の下部が位置する状態である。尚、盛土補強部材６は、出っ張り４Ａによって抜けが防止されることになる。
【００２０】
又、図５は、図１に示した第１実施例の接続部材１の接続部５に法面補強ユニット７，８を接続した状態を示す断面図である。ここで、下段の法面補強ユニット７及び上段の法面補強ユニット８はエキスパンドメタルを側面視Ｌ字状に折り曲げたものであり、法面補強ユニット８のＬ字状底辺部に接続部５が挿入されている。尚、図示はしていないが、法面補強ユニット７のＬ字状底辺部にも同様に接続部材の接続部５が挿入される。
【００２１】
更に、上下の法面補強ユニット７，８は、それぞれの開口部７Ａ，８Ａに挿入されたくし形部材１０で相互に連結されている。したがって、上下の法面補強ユニット７，８の連結は容易であり、施工性に優れたものとなっている。
【００２２】
尚、図５において、くし形部材１０は上段の法面補強ユニット８のＬ字状底辺部のコーナー側に溶接しているが、図６に示すような別部材を挿入する方式としてもよい。すなわち、図６（Ａ）に示すくし形部材１０は、縦材と横材とを格子状に構成したものであり、図６（Ｂ）に示すくし形部材１０は、平板を打ち抜いたものである。そして、これらのくし形部材１０を図５の位置に設ければ、溶接等されていなくても盛土中に埋設されることによって、固定されるのである。
【００２３】
図７は、本発明の接続部材の第３実施例に法面補強ユニット７，８を接続した状態を示す断面図である。すなわち、第３実施例では接続部材１における接続部５側の縦材２が長くなっており、上下の法面補強ユニット７，８のそれぞれの開口部７Ａ，８Ａに直接、接続部５を挿入することで、上下の法面補強ユニット７，８を相互に連結している。尚、法面補強ユニット７，８は、それぞれテンションバー９によって補強されている。
【００２４】
尚、盛土補強部材６としては、ポリエステル糸を格子状に組み合わせて特殊合成樹脂をコーティングしたネット型シート等が使用できる。ネット型シートは網目構造のため、軟弱地盤や盛土とのなじみもよく、又、上下の土砂が適度に混合して大きな摩擦抵抗を発揮できるものである。更に、強度が高く軽量で耐候性を併せ持つものであるため省力化、省コスト化が可能であり、盛土補強工事に最適なものである。
【００２５】
【発明の効果】
以上説明したように、本発明の盛土補強用接続部材は、簡単な構造でもって盛土補強部材の網目に容易に挿入できると共に盛土補強部材の抜けが防止されるので、施工工数を削減しつつ盛土補強部材を確実に固定することができ、しかも、材料使用量を低減することができる。特に、盛土補強用接続部材を法面補強ユニットと別部材とすれば、運搬が容易となり、施工性が向上するだけでなく、法面補強ユニットに外観を考慮した様々な金網を使用することができる。又、本発明の盛土補強用接続部材を使用することにより、施工性、生産性に優れた盛土補強構造及び盛土補強工法とすることができる。
【図面の簡単な説明】
【図１】図１は、本発明の第１実施例の盛土補強用接続部材を示す斜視図である。
【図２】図２は、本発明の第２実施例の盛土補強用接続部材を示す斜視図である。
【図３】図３は、第１実施例の接続部材を使用して盛土補強部材を接続する方法を示す斜視図である。
【図４】図４は、第１実施例の接続部材を使用して盛土補強部材を接続した状態を示す斜視図である。
【図５】図５は、第１実施例の接続部材に法面補強ユニットを接続した状態を示す断面図である。
【図６】図６は、図５において使用可能なくし形部材の例を示す斜視図である。
【図７】図７は、第３実施例の接続部材に法面補強ユニットを接続した状態を示す断面図である。
【図８】図８は、従来における盛土補強部材の接続例を示す断面図である。
【図９】図９は、図８のような盛土補強部材の無駄を無くした場合の接続例を示す斜視図である。
【符号の説明】
１‥接続部材
２‥縦材
３‥横材
４‥挿入部
４Ａ‥出っ張り
５‥接続部
６‥盛土補強部材
６Ａ‥中央部の網目
６Ｂ‥端部の網目
７‥法面補強ユニット
７Ａ‥開口部
８‥法面補強ユニット
８Ａ‥開口部
９‥テンションバー
１０‥くし形部材
１１‥法面補強ユニット
１２‥盛土補強部材
１２Ａ‥網目
１３‥接続部材
１３Ａ‥接続部
１３Ｂ‥凸部
１４‥丸棒
【図１】
0004184553.tif 000002
【図２】
0004184553.tif 000003
【図３】
0004184553.tif 000004
【図４】
0004184553.tif 000005
【図５】
0004184553.tif 000006
【図６】
0004184553.tif 000007
【図７】
0004184553.tif 000008
【図８】
0004184553.tif 000009
【図９】
0004184553.tif 000010